【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  複数の画素をライン状に配列した光変調素子と、該光変調素子からの光束を走査する光走査手段と、該光走査手段からの光束をスクリーン面上に斜方向から投射する投射レンズと、を有し、該光走査手段は該投射レンズの瞳位置又はその近傍に配置されており、該光走査手段の光走査により該スクリーン面上で２次元画像の観察を行う投射型表示装置であって、
該光変調素子の各画素のサンプリング方法を異ならしめて、該スクリーン面上で観察される投射画像の寸法を調整していることを特徴とする投射型表示装置。
【請求項２】  前記異なる該サンプリング方法は、サンプリング開始のタイミングとサンプリング周波数が異なるサンプリング方法であることを特徴とする請求項１の投射型表示装置。
【請求項３】  前記サンプリング方法は、前記スクリーン上に斜方向から投射し、走査したときに生ずる台形状の投射画像と逆の台形状の投射画像となるようにしていることを特徴とする請求項２の投射型表示装置。
【請求項４】  前記サンプリングによる前記逆の台形の長辺Ｌ１と短辺Ｌ２との比率Ｌ１／Ｌ２をｋ、前記ライン状の光変調素子の画素数をｎ、前記走査と直交する方向の入力画像信号に対して、前記長辺側に相当する画素から短辺側へ向かって、隣接画素間のサンプリング間隔の比率をγとした場合、
ｋ＝γｎ−１
となり、前記サンプリング位置に相当する画像信号を補間処理にて形成し前記ライン状の光変調素子へ入力していることを特徴とする請求項３の投射型表示装置。
【請求項５】  前記スクリーン面上で投射画像を観察するときの該スクリーン面上における走査方向と直交方向の投射画像の明るさが等しくなるように光路中に照明光学素子が設けられていることを特徴とする請求項１，２又は３の投射型表示装置。
【請求項６】  前記逆台形の長辺Ｌ１と短辺Ｌ２との比率Ｌ１／Ｌ２をｋとした場合、前記ライン状の光変調素子に入射する光量が長辺から短辺へ向かって順次変化し、端部でｋ倍になる照明光学素子が光路中に設けられていることを特徴とする請求項３の投射型表示装置。
【請求項７】  前記ライン状の光変調素子は１ラインであり、該光変調素子に時間分割でＲ，Ｇ，Ｂの異なる色光の照明光を切り替えて照射する時分割色切り替え手段を有していることを特徴とする請求項１の投射型表示装置。
【請求項８】  前記時分割色切り替え手段は、白色光よりＲ，Ｇ，Ｂの色光を得る複数の色フィルターを有していることを特徴とする請求項７の投射型表示装置。
【請求項９】  前記時分割色切り替え手段は、Ｒ，Ｇ，Ｂの色光を放射する光源を有し、これらの光源自身を切り替えて行うことを特徴とする請求項７の投射型表示装置。
【請求項１０】  前記ライン状の光変調素子は３色用の３ユニットからなり、１ユニットは１以上のラインの光変調素子を有していることを特徴とする請求項１の投射型表示装置。
【請求項１１】  前記３ユニットの光変調素子にＲ，Ｇ，Ｂの照明光を各々照射することを特徴とする請求項１０の投射型表示装置。
【請求項１２】  白色光源からの白色光をダイクロイックフィルターによりＲ，Ｇ，Ｂの色光に分解して前記３ユニットの光変調素子にＲ，Ｇ，Ｂの照明光を各々照射することを特徴とする請求項１１の投射型表示装置。
【請求項１３】  Ｒ，Ｇ，Ｂの色光を放射する３つの光源からの光を前記３ユニットの光変調素子に各々照射することを特徴とする請求項１１の投射型表示装置。
【請求項１４】  前記ライン状の光変調素子が、ＤＭＤより構成されていることを特徴とする請求項１の投射型表示装置。
【請求項１５】  前記ライン状の光変調素子が、ＧＬＶより構成されていることを特徴とする請求項１の投射型表示装置。
【請求項１６】  前記ライン状の光変調素子が、半導体基板上に形成され、サンプリング開始のタイミングとサンプリング周波数を各画素毎変更する回路が該半導体基板上に形成されていることを特徴とする請求項２の投射型表示装置。
【請求項１７】  前記光変調素子への入力映像信号に応じて、前記光走査手段による走査方向のサンプリング数を変更することを特徴とする請求項２の投射型表示装置。
【請求項１８】  前記ライン状の光学変調素子を前記光走査手段による走査方向に１以上設けていることを特徴とする請求項１の投射型表示装置。
【手続補正２】
【補正対象書類名】明細書
【補正対象項目名】００１５
【補正方法】変更
【補正の内容】
【００１５】
【課題を解決するための手段】
請求項１の発明の投射型表示装置は、複数の画素をライン状に配列した光変調素子と、該光変調素子からの光束を走査する光走査手段と、該光走査手段からの光束をスクリーン面上に斜方向から投射する投射レンズと、を有し、該光走査手段は該投射レンズの瞳位置又はその近傍に配置されており、該光走査手段の光走査により該スクリーン面上で２次元画像の観察を行う投射型表示装置であって、該光変調素子の各画素のサンプリング方法を異ならしめて、該スクリーン面上で観察される投射画像の寸法を調整していることを特徴としている。
【手続補正３】
【補正対象書類名】明細書
【補正対象項目名】００１６
【補正方法】変更
【補正の内容】
【００１６】
請求項２の発明は請求項１の発明において、
前記異なる該サンプリング方法は、サンプリング開始のタイミングとサンプリング周波数が異なるサンプリング方法であることを特徴としている。
【手続補正４】
【補正対象書類名】明細書
【補正対象項目名】００１８
【補正方法】変更
【補正の内容】
【００１８】
請求項４の発明は請求項３の発明において、
前記サンプリングによる前記逆の台形の長辺Ｌ１と短辺Ｌ２との比率Ｌ１／Ｌ２をｋ、前記ライン状の光変調素子の画素数をｎ、前記走査と直交する方向の入力画像信号に対して、前記長辺側に相当する画素から短辺側へ向かって、隣接画素間のサンプリング間隔の比率をγとした場合、
ｋ＝γｎ−１
となり、前記サンプリング位置に相当する画像信号を補間処理にて形成し前記ライン状の光変調素子へ入力していることを特徴としている。
【手続補正５】
【補正対象書類名】明細書
【補正対象項目名】００４１
【補正方法】変更
【補正の内容】
【００４１】
まず、図３（Ａ）の構成について説明する。図３（Ａ）において、５１は、光源であり、白色光を出す固体レーザーより成り、半導体励起型で小型でかつ、空冷型で対応できるものを用いている。５２は、光源５１からの光束をシート状に成形するレンズ系（照明光学素子）であり、例えばシート状に広げる方向にのみパワーを有するシリンドリカルレンズを２枚用い、第１シリンドリカルレンズ５２ｂの集光位置に、第２のシリンドリカルレンズ５２ｂをその焦点距離の長さ分、離し配置している。また、上記レーザー５１からの出射光束の幅が、光変調素子５８の幅より大きい場合、シリンドリカルレンズでなく、アナモフィックレンズを用い、幅を調整する事も可能である。５３は、時分割色切り替え手段としての回転ホイールで、５４，５５，５６，５７はそれぞれR,G,B,Wのダイクロイックフィルターである。回転ホイール５３の回転により、白色光を所望の色に選択して透過させている。上記構成の場合、白色に対応するW（白色）のフィルターも色選択の１つに導入している。これにより、輝度の向上を図っている。色純度を向上させるためには、上記Wフィルターの比率を削減するか,または、設けない事も有効である。このような色切り替えする手段としてはcolorlink社の可動部の無いデバイス等の用いることも有効である。５８は、光変調素子であり、複数の素子を１次元配置したDMDデバイスより成り、ミラーを傾けた信号光のみ、ガルバノミラー（光走査手段）５９に入射するように配置している。ガルバノミラー５９のミラー面５９ａは、投射レンズ６０の瞳位置又はその近傍位置になっている。６０は、投射レンズで走査光学系に適したFθレンズを用いている。
【手続補正６】
【補正対象書類名】明細書
【補正対象項目名】００４２
【補正方法】変更
【補正の内容】
【００４２】
本実施形態では白色レーザー５１から出射した光束７１は、第１シリンドリカルレンズ５２ａにより、光束を広げる方向（Y方向）にのみ絞り、光束７２に集光する。そこから広がった光束７３は、第２のシリンドリカルレンズ５２ｂにより光束７４の如くシート状に成形される。シート状の光束７４は回転ホイール５３を通過し所望の色光に選択された光束７５は、ライン状のDMDデバイス５８に照射される。DMDデバイス５８によるON信号光はDMDのミラーで角度をつけられ、ガルバノミラー５９へ進む。一方、OFF光の場合は、傾むいていないDMDのミラーで反射し上記ガルバノミラー５９とは異なる方向へ進むため、投射レンズ６０によってスクリーンへは投射されない。画像の階調は、上記DMDのミラーをパルス変調することにより実現している。ガルバノミラー面５９ａは投射レンズ６０の瞳位置になるように配置させているのでガルバノミラー５９の回転により、DMDデバイス５８に基づく光束は矢印７９の方向（X方向）に走査され、投射レンズ６０を通過した後、スクリーン面上に画像を形成している。
【手続補正７】
【補正対象書類名】図面
【補正対象項目名】図３
【補正方法】変更
【補正の内容】
【図３】
2001154263.tif 000001